【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
基部と、
基部に取り付けられた座部と、
座部と基部のうち少なくとも一つに取り付けられた背もたれと、
背もたれ、座部及び基部のうち少なくとも一つに取り付けられた少なくとも１つの肘掛け装置と、を具えた椅子であって、
前記少なくとも１つの肘掛け装置の各々は、
背もたれ、座部及び基部のうち少なくとも一つに取り付けられた肘掛け部材であって、第１アパーチャと第２アパーチャを有し、第１アパーチャの少なくとも一部は第２アパーチャの少なくとも一部と略平行である該肘掛け部材と、
前記肘掛け部材の上方に配置され、第１アパーチャ及び第２アパーチャを横切る長手方向のスロットを有する第１プレートと、
前記第１プレートに取り付けられた肘掛けカバーと、
第１プレートと肘掛けカバーの間又は第１プレートと肘掛け部材の間に配置された弾性体と、
第１アパーチャ及び第１プレートの長手方向のスロットを通って延びる第１部材と、
第２アパーチャ及び第１プレートの長手方向のスロットを通って延びる第２部材とを具え、
前記弾性体は、ネジ付きプレートの上方に配置された弾性部を具え、該弾性部は第１孔及び第２孔を有し、ネジ付きプレートは、弾性部の前記第１孔に位置合わせされた第１孔と、弾性部の前記第２孔に位置合わせされた第２孔とを有し、第１部材は弾性部の第１孔を通って延びると共にネジ付きプレートの第１孔を通って延びており、第２部材は弾性部の第２孔を通って延びると共にネジ付きプレートの第２孔を通って延びており、
前記第１部材は、ネジ付きプレートの第１孔及び弾性部の第１孔の内部に調節可能に配置され、第１部材の調節により、ネジ付きプレートに対する弾性部の位置を緩めるか又は締め付けることができるようになし、
前記第２部材は、ネジ付きプレートの第２孔及び弾性部の第２孔の内部で調節可能に配置され、第２部材の調節により、ネジ付きプレートに対する弾性部の位置を緩めるか又は締め付けることができるようになし、
第１部材及び第２部材の少なくとも１つの部材を調節して、ネジ付きプレートに対する弾性部の位置を緩めるか又は締め付けることにより、肘掛け部材に対して第１プレートを移動又は摺動させるのに必要な力の大きさを調節する、椅子。
【請求項２】
弾性部は板バネ又はエラストマーシートであり、ネジ付きプレートは第１プレートの上方に配置され、第１部材及び第２部材は両方とも、ネジ付きプレートに対する弾性部の位置を緩めるか又は締め付けることができるよう調節可能に配置される、請求項１の椅子。
【請求項３】
弾性体は、第１ナット及び第２ナットを具え、第１ナットは、弾性部及びネジ付きプレートの上方に配置されて第１部材の一部を収容し、第２ナットは、弾性部及びネジ付きプレートの上方に配置されて第２部材の一部を収容する、請求項２の椅子。
【請求項４】
肘掛けカバーは第２プレートに取り付けられた肘掛けパッドを具え、第２プレートは第１プレートに取り付けられ、第１ナット及び第２ナットはナットナイロック(nylock)であり、弾性体は第１プレートと第２プレートとの間に配置されている、請求項３の椅子。
【請求項５】
椅子の背もたれの下部に取り付けられた少なくとも１つの支持部材を更に含んでおり、前記少なくとも１つの支持部材は、椅子の背もたれの下部から座部に隣接する位置まで延び、少なくとも一つの肘掛け装置の肘掛け部材は少なくとも１つの支持部材に移動可能に取り付けられ、第１部材の一部及び第２部材の一部は肘掛け部材の下方に配置されている、請求項１の椅子。
【請求項６】
座部は表面、裏面、表面と裏面の間にある第１側部、及び、表面と裏面の間にあって前記第１側部とは反対側に第２側部を有しており、前記少なくとも１つの支持部材は第１支持部材と第２支持部材とを含み、少なくとも１つの肘掛け装置は第１肘掛けと第２肘掛けとを含み、第１支持部材は、背もたれフレームの下部から座部の第１側部に隣接する位置まで延び、第２支持部材は、背もたれフレームの下部から座部の第２側部に隣接する位置まで延びており、第１肘掛けの肘掛け部材は第１支持部材に移動可能に取り付けられ、第２肘掛けの肘掛け部材は第２支持部材に移動可能に取り付けられている、請求項５の椅子。
【請求項７】
第１支持部材は略Ｌ字状部材又は略Ｊ字状部材であり、第２支持部材は略Ｌ字状部材又は略Ｊ字状部材である、請求項６の椅子。
【請求項８】
第１支持部材と第２支持部材は略Ｕ字状支持体の一部である、請求項６の椅子。
【請求項９】
少なくとも１つの支持部材の各々は、チャンネルと、該チャンネルに形成された複数の孔又は歯を有する、請求項５の椅子。
【請求項１０】
少なくとも１つの肘掛け装置は、肘掛けカバーの側部方向及び回転方向の位置をロックするロック位置から移動可能なロッキング機構を有しておらず、該ロッキング機構がロック解除位置にあるとき、肘掛けカバーは、側部方向及び回転方向の少なくとも１つの方向に移動可能である、請求項１の椅子。
【請求項１１】
第１プレートと肘掛けカバーは、スナップ嵌合式取付け機構、締まりばめ式取付け機構、又は両方の機構によって一緒に取り付けられる、請求項１に記載の椅子。
【請求項１２】
第１部材はピン又はネジであり、第２部材はピン又はネジである、請求項１の椅子。
【請求項１３】
第１部材に取り付けられた少なくとも１つのワッシャーガイド又は少なくとも１つのバンパーと、第２部材に取り付けられた少なくとも１つのワッシャーガイド又は少なくとも１つのバンパーとを更に含んでいる、請求項１の椅子。
【請求項１４】
第１プレートに取り付けられた摩耗プレートを更に含んでおり、該摩耗プレートは肘掛け部材の上面部と係合可能に配置される、請求項１の椅子。
【請求項１５】
少なくとも１つの肘掛け装置は、弾性体と第１プレートが、第１アパーチャ及び第２アパーチャによって画定される第１径路に沿ってほぼ横方向に移動できるよう構成され、第１プレートが、長手方向移動用の長手方向スロットによって画定される第２径路に沿って移動できるよう構成される、請求項１の椅子。
【手続補正２】
【補正対象書類名】明細書
【補正対象項目名】０００８
【補正方法】変更
【補正の内容】
【０００８】
＜発明の要旨＞
開示する椅子は、基部と、該基部に取り付けられた座部と、座部及び基部のうち少なくとも一つに取り付けられた背もたれと、を含んでいる。少なくとも１つの肘掛け装置は、背もたれ、座部及び基部のうち少なくとも一つに取り付けられる。肘掛け装置の各々は、肘掛け部材と、該肘掛け部材の上方に配置された第１プレートと、該第１プレートに取り付けられた肘掛けカバーと、肘掛け部材と第１プレートの間、又は。第１プレートと肘掛けカバーの間に配置された弾性体と、を含んでいる。肘掛け部材は、第１アパーチャと第２アパーチャを有する。第１アパーチャの少なくとも一部分は、第２アパーチャの少なくとも一部分に略平行である。第１プレートには、第１及び第２アパーチャに対して横方向である長手方向のスロットがある。弾性体は、第１孔と第２孔を有する。第１部材と第２部材も、各々の肘掛け装置に含まれる。第１部材は、少なくとも一部分が、第１アパーチャ、長手方向のスロット及び第１孔を通って延び、第２部材は、少なくとも一部分が、第２アパーチャ、長手方向のスロット、及び第２孔を通って延びる。
【手続補正３】
【補正対象書類名】明細書
【補正対象項目名】００３９
【補正方法】変更
【補正の内容】
【００３９】
なお、補強プレート(47)は、肘掛け部材(58)に取り付けられるとき、補強プレート(47)のアパーチャ(61)(63)が、肘掛け部材(58)に形成されたアパーチャ(71)(73)と同一直線上に揃うように構成されることが好ましい。補強プレート(47)又は摩耗プレートにより、肘パッドプレート(59)は、肘掛け部材(58)の一部に沿って摺動又は移動することができる。摺動又は移動の際、肘掛け部材(58)に擦り傷が付くことがなく、また、肘掛け部材(58)の上表面が変形することがないので、肘パッドプレート(59)の移動で生じる摩擦量が低減される。このような特徴は、肘掛け部材(58)がプレート(47)よりも硬度が小さい材料から形成されるときに特に有利である。補強プレート(47)は、肘掛け部材(58)よりも摩擦が多い材料又は少ない材料から形成し、プレート(59)と肘パッドの移動し易さを調節することで、肘パッドプレート(59)の滑らかな移動を確保することができる。好ましくは、補強プレート(47)は、肘パッドプレート(59)を肘掛け部材の部分(58b)に隣接して摺動させることにより起こる摩擦を比較的小さくすることができる摩擦特性を有するように構成される。
【手続補正４】
【補正対象書類名】明細書
【補正対象項目名】００４０
【補正方法】変更
【補正の内容】
【００４０】
図２１Ａに示すように、肘パッドプレート(59)は細長いスロット(77)を有し、肘掛け部材の一部(58b)と補強プレート(47)の上方に配置される。肘パッドプレート(59)を更に支持するために、スロットを有する摩耗プレート(60)を、スロット(77)に隣接して設けることもできる。ネジ付きピン(52)は、アパーチャ(61)とスロット(77)を通って延びる。ワッシャーグライド(washer glide)(51)がピン(52)に取り付けられ、バンパー(53)の下方に配置される。バンパー(53)は、少なくとも一部分が、アパーチャ(61)、アパーチャ(71)及びスロット(77)のうち少なくとも１つの内部に位置するように、ピン(52)に配置される。好ましくは、バンパーは熱可塑性エラストマー、熱可塑性ポリウレタンエラストマー又は他のゴムやプラスチックから構成される。ピン(54)は、アパーチャ(63)、アパーチャ(73)及びスロット(77)を通って延びる。ワッシャーグライド(51)はピン(54)に取り付けられ、バンパー(53)の下方に配置される。バンパー(53)は、少なくとも一部分が、アパーチャ(61)、アパーチャ(71)及びスロット(77)のうち少なくとも１つの内部に位置するように、ピン(54)に配置される。ワッシャーグライド(51)は、ピン(52)(54)がアパーチャ又はスロットに沿って移動する際に、ピン(52)(54)の下部に接して作用する摩擦を減じる。バンパー(53)は、肘掛け部材の部分(58b)、補強プレート(47)、肘パッドプレート(59)及び／又は摩耗プレート(60)が、ピン(52)(54)の移動によって受ける摩耗を減らすのに役立つ。